(57)【特許請求の範囲】
【請求項１】
第１の筐体と第２の筐体とが、互いの一端に形成されたヒンジ部を介して折り畳み可能に連結された携帯電話機において、
前記第１の筐体の正面と背面とにそれぞれ第１の受話部と第２の受話部とを備え、
前記ヒンジ部は前記第１の筐体に形成された第１のヒンジ部と前記第２の筐体に形成された第２のヒンジ部とから成り、前記第２のヒンジ部に送話部を備えており、
前記第１の筐体と第２の筐体とを開いた状態で、前記第１の受話部と前記送話部とにより通話が行われ、前記第１の筐体と第２の筐体とを折り畳んだ状態で、前記第２の受話部と前記送話部とにより通話が行われることを特徴とする携帯電話機。
【発明の詳細な説明】
【０００１】
【発明の属する技術分野】
本発明は、音声や画像等の通信情報を無線送受信する折り畳み式の携帯電話機（以下、「携帯電話機」と記すことがある）に関し、特に、本体を折り畳んだ状態で通話が可能な携帯電話機に関する。
【０００２】
【従来の技術】
折り畳み式の携帯電話機は、２つの筐体が折り畳み可能に連結されて本体が形成されており、文字や画像等の様々な情報の通信を行うという基本的な機能のみならず、一体式よりも優位なコンパクト性や携帯性を備えていることから、広く一般に普及してきている。
【０００３】
このような携帯電話機による通話は、通常、本体を開いた状態にして行われるが、折り畳んだ状態でも通話ができれば便利な場合がある。例えば、ユーザが本体を折り畳んで携帯しているときに着信があった場合であるが、その際、普通、ユーザは直ちに応答したいと思うので、本体を開くという動作はユーザに煩わしさを与え、操作効率もよいとはいえない。従って、折り畳んだ状態のままで通話を行うという要望は極めて強いといえる。
【０００４】
この要望に応え得る従来の携帯電話機として、例えば、特開平１１−６８８９９号公報では、上部筐体を形成する第１の筐体と、下部筐体を形成する第２の筐体とが、互いの一端に形成されたヒンジ部を介して折り畳み可能に連結されて本体が形成されており、本体が折り畳まれたときに互いに向き合う面のうち、第１の筐体のその面には第１の受話部が、第２の筐体のその面には第１の送話部がそれぞれ設けられていて、本体を開いた状態でこの第１の受話部と第１の送話部とにより通話が行われるようになっている。更に、第２の筐体において第１の送話部が設けられている面と反対の面には、第２の受話部と第２の送話部が設けられていて、本体を折り畳んだ状態でこの第２の受話部と第２の送話部とにより通話が行われるようになっている。ここで、第１の受話部と第２の受話部はともに受信した音声を発する機能を有し、第１の送話部と第２の送話部はともに送信する音声を受け取る機能を有している。よって、本体を折り畳んだ状態でも一応通話を行えるようになっている。
【０００５】
【発明が解決しようとする課題】
しかし、上述した従来の携帯電話機では、以下の問題点がある。第１に、第２の受話部と第２の送話部が同一の筐体（第２の筐体）に設けられているため、音響的な干渉が大きくなり、本体を折り畳んだ状態で通話が行われる際に、ハウリングが生じ易い。
【０００６】
第２に、実際、それぞれの受話部と送話部とに配線接続され通信信号と音声信号相互の信号変換を行う音声処理部を設ける必要があるが、この音声処理部を第１の筐体に設けた場合、第１の送話部、第２の受話部及び第２の送話部との接続配線が長くなり、一方、第２の筐体に設けた場合、第１の受話部との接続配線が長くなるというように、いずれの筐体に音声処理部を設けても接続配線が長くなるという事態が生じる。接続配線が長いとその配線にノイズが乗り易いため、雑音の発生につながり音質が悪化する。なお、それぞれの筐体に個別に音声処理部を設けることによってこの問題は一応解消できるが、本体の大型化やコストアップ等を招くので好ましくない。
【０００７】
第３に、本体を折り畳んだ状態と開いた状態とで、それぞれ専用の受話部と送話部を設けているので、部品点数が増してコストアップが生じるという欠点もある。
【０００８】
そこで、本発明は、上記の問題に鑑みてなされたものであり、本体を折り畳んだ状態でも通話が可能で、音響・音質面での品位に優れ、しかも、低コストで得られるように図った携帯電話機を提供することを目的とするものである。
【０００９】
【課題を解決するための手段】
上記目的を達成するため、本発明による携帯電話機は、第１の筐体と第２の筐体とが、互いの一端に形成されたヒンジ部を介して折り畳み可能に連結された携帯電話機において、第１の筐体の正面と背面とにそれぞれ第１の受話部と第２の受話部とを備え、前記ヒンジ部は前記第１の筐体に形成された第１のヒンジ部と前記第２の筐体に形成された第２のヒンジ部とから成り、前記第２のヒンジ部に送話部を備えており、第１の筐体と第２の筐体とを開いた状態で、第１の受話部と送話部とにより通話が行われ、第１の筐体と第２の筐体とを折り畳んだ状態で、第２の受話部と送話部とにより通話が行われるようになっている。
【００１４】
【発明の実施の形態】
以下に、本発明の実施形態について図面を参照しながら説明する。先ず、本発明の第１実施形態について説明する。図１〜６は第１実施形態の携帯電話機を示しており、図１には本体を開いた状態での外観を表す正面図が、図２には本体を開いた状態での外観を表す背面図が、図３には本体を開いた状態での断面図が、図４には本体を折り畳んだ状態での断面図が、図５には送話部の詳細を表す斜視図が、図６には図５のＡ−Ａ断面図がそれぞれ示されている。
【００１５】
本体は、上部筐体を形成する第１の筐体１と、下部筐体を形成する第２の筐体２とからなり、互いの一端がヒンジ部３で連結され基軸Ｊを中心に折り畳み可能になっている。このヒンジ部３は、第１の筐体１に形成された第１のヒンジ部３ａと、第２の筐体２に形成された第２のヒンジ部３ｂとからなり、各々が基軸Ｊに沿って互い違いに配置されている。よって、基軸Ｊに対して第１の筐体１と第２の筐体２とを重ね合わせるように折り畳んだ状態と、第１の筐体１と第２の筐体２とを互いに開いた状態とを取り得る。
【００１６】
図１に示されるように、本体を開いた状態の正面（本体が折り畳まれたときに互いに向き合う面）において、第１の筐体１の上方には、スピーカ等の第１の受話部４を背後に備える開口１ａが形成され、開口１ａの下方に表示部７が備えられ、第２の筐体２には、複数のキーからなる第１のキー操作部８が設けられている。第２の筐体２の側面には、第２のキー操作部９が設けられている。なお、第１のヒンジ部３ａには、マイク等の送話部６を背後に備える開口３ｃが形成されているが、この詳細については後述する。また、図２に示されるように、第１の筐体１の背面上方には、第２の受話部５を背後に備える開孔１ｂが形成され、第２の筐体２の背面上方隅部には、突出入可能な棒状のアンテナ１０が備えられている。
【００１７】
表示部７は液晶パネル等で構成され、電子メール等による文字や画像等の様々な通信情報を表示する。第１のキー操作部８は、電子メール等の各種の情報を入力する入力キー、表示部７の表示内容や機能を切り換える多機能キー、電力供給ＯＮ／ＯＦＦを司る電源キー、第１の受話部４と送話部６とによる通話の開始／終了を司る通話キー等からなっている。一方、第２のキー操作部９は、第２の受話部５と送話部６とによる通話の開始／終了を司る通話キーであり、例えば、通話を開始する通話開始キー９ａと、通話を終了する通話終了キー９ｂとからなっている。
【００１８】
次に、各筐体の内部構成について、図３〜６に基づき以下に説明する。先ず、第１のヒンジ部３ａの開口３ｃは、第１の筐体１に対して下方でやや正面側に向けた位置に形成されており、第１の筐体１と第２の筐体２とを開いた状態（図３参照）では第１の筐体の正面側に位置し、第１の筐体１と第２の筐体２とを折り畳んだ状態（図４参照）では外部に表出するようになっている。つまり、いずれの状態においても、通話の障害となるような障害物がないような位置、例えば、第２の筐体２と重ならない位置に形成されている。送話部６は、図６に示されるように、開口３ｃの背後にゴム等の保持部材６ａによって保持されており、送信する音声を開口３ｃを通して受け取るようになっている。なお、１３は通信信号と音声信号相互の信号変換を行う音声処理部、６ｂは音声処理部１３と送話部６を接続する配線、１ｃは第１の筐体１の内部空間を分割する隔壁であり、詳細は後述する。
【００１９】
図３、４に戻って説明を続ける。第１の受話部４は、第１の筐体１の正面側上方に形成された開口１ａの背後に保持されており、受信した音声を開口１ａを通して正面側（図の左側）に向けて発するようになっている。第２の受話部５は、第１の筐体１の背面側上方に形成された開孔１ｂの背後に保持されており、受信した音声を開孔１ｂを通して背面側（図の右側）に向けて発するようになっている。従って、第１の筐体１と第２の筐体２との単純な開閉動作のみで、その状態に応じた通話が行えるような受話部と送話部の配置関係を得ることができる。
【００２０】
第１の筐体１と第２の筐体２には、それぞれ第１の基板１１と第２の基板１２が配設されている。第１の基板１１には、上述した配線６ｂを代表とする不図示の配線により第１の受話部４、第２の受話部５及び送話部６に接続された回路からなる音声処理部１３が搭載されており、この音声処理部１３によって、通信信号と音声信号相互の信号変換が行われる。ここで、仮に音声処理部１３を第２の基板１２に搭載した場合と比較すると、明らかに配線の長さが短縮されるので、その配線にノイズが乗り難くなり、音質の悪化を抑えることができる。一方、第２の基板１２には、不図示の配線により第１のキー操作部８と第２のキー操作部９とに接続された回路からなる無線部１４が搭載されており、この無線部１４によって、通信信号の送受信が行われる。なお、全体の制御を司る不図示の制御部は、第１の基板１１又は第２の基板１２に搭載されており、不図示の配線により、上述した各部品と相互に接続されている。また、第２の筐体２には、背面側から着脱が可能な電池１５を備えている。
【００２１】
第１のヒンジ部３ａの近傍には、防振材やリブ等の隔壁１ｃが形成されており、第１の筐体１の内部空間を、第１の受話部４及び第２の受話部５が存する空間と、送話部６が備えられる空間とに分割し、相互に独立した空間が形成されている。この隔壁１ｃは、第１の受話部４と送話部６、或いは、第２の受話部５と送話部６が、相互に音響面で干渉するのを防止する役割を果たし、通話時にハウリングの発生を抑える。
【００２２】
このような構成の携帯電話機によって通話が行われる様子について、以下に説明する。先ず、本体を開いた状態で通話する場合、図３に示されるように、第１の筐体１と第２の筐体２とを開き、第１のキー操作部８のうち通話を開始するキーを押して、第１の受話部４と送話部６とにより通話が開始される。そして、送話部６は開口３ｃを通して受け取った音声を音声信号にして音声処理部１３に送り、その音声信号は音声処理部１３で送信信号に変換され、その後、その送信信号は無線部１４によりアンテナ１０を介して送信される。一方、アンテナ１０を介して無線部１４により受信した受信信号は音声処理部１３で音声信号に変換され、その音声信号は第１の受話部４から開口１ａを通して音声として発せられる。このようにして通話が行われ、その後、第１のキー操作部８のうち通話を終了するキーを押して、通話が終了する。
【００２３】
本体を折り畳んだ状態で通話する場合、図４に示されるように、第１の筐体１と第２の筐体２とを折り畳んだ状態のまま、第２のキー操作部９のうち通話を開始する通話開始キー９ａを押して、第２の受話部５と送話部６とにより通話が開始される。そして、送話部６が受け取った音声は、上述した通りの経路で送信され、一方、無線部１４により受信した受信信号は、上述した通りの経路を経て音声信号に変換され、その音声信号は第２の受話部５から開孔１ｂを通して音声として発せられる。このようにして通話が行われ、その後、第２のキー操作部９のうち通話を終了する通話終了キー９ｂを押して、通話が終了する。
【００２４】
なお、送話部６に対して第１の受話部４と第２の受話部５が、ほぼ同等の位置関係に配置されているので、音声に係わる特性を合わせ易いという利点があり、本体を開いた状態と折り畳んだ状態とで同等の音響・音質を得ることができる。
【００２５】
次に、本発明の第２実施形態について説明する。図７、８は第２実施形態の携帯電話機を示しており、図７には本体を開いた状態での断面図が、図８には本体を折り畳んだ状態での断面図がそれぞれ示されている。なお、図中で第１実施形態と同じ名称の部分には同一の符号を付し、重複する説明は省略する。第２実施形態の特徴は、送話部６を第２の筐体２に形成された第２のヒンジ部３ｂに設けた点にある。
【００２６】
第２のヒンジ部３ｂには、送話部６を背後に備える開口３ｄが形成されている。開口３ｄは、第２の筐体２に対して正面側に向けた位置に形成されており、第１の筐体１と第２の筐体２とを開いた状態（図７参照）では第１の筐体の正面側に位置し、第１の筐体１と第２の筐体２とを折り畳んだ状態（図８参照）では第１の筐体の背面側に位置するようになっている。つまり、いずれの状態においても、通話の障害となるような障害物がないような位置、例えば、第１の筐体１と重ならない位置に形成されている。なお、送話部６と音声処理部１３を接続する不図示の配線は、基軸Ｊに沿って一旦第１のヒンジ部３ａを介するように配置すればよい。
【００２７】
ところで、本発明は上記の実施形態に限定されず、本発明の趣旨を逸脱しない範囲で、種々の変更が可能である。
【００２８】
【発明の効果】
以上説明した通り本発明によれば、第１の筐体と第２の筐体とが、互いの一端に形成されたヒンジ部を介して折り畳み可能に連結された携帯電話機において、第１の筐体の正面と背面とにそれぞれ第１の受話部と第２の受話部とを備え、前記ヒンジ部は前記第１の筐体に形成された第１のヒンジ部と前記第２の筐体に形成された第２のヒンジ部とから成り、前記第２のヒンジ部に送話部を備え、第１の筐体と第２の筐体とを開いた状態で、第１の受話部と送話部とにより通話が行われ、第１の筐体と第２の筐体とを折り畳んだ状態で、第２の受話部と送話部とにより通話が行われるようになっているので、本体を折り畳んだ状態でも通話が可能で、しかも、部品点数の増加を最小限に抑えたことから、低コストで得ることができる。
【図面の簡単な説明】
【図１】    第１実施形態の携帯電話機を開いた状態での外観を表す正面図である。
【図２】    第１実施形態の携帯電話機を開いた状態での外観を表す背面図である。
【図３】    第１実施形態の携帯電話機を開いた状態での断面図である。
【図４】    第１実施形態の携帯電話機を折り畳んだ状態での断面図である。
【図５】    第１実施形態の携帯電話機の送話部の詳細を表す斜視図である。
【図６】    図５のＡ−Ａ断面図である。
【図７】    第２実施形態の携帯電話機を開いた状態での断面図である。
【図８】    第２実施形態の携帯電話機を折り畳んだ状態での断面図である。
【符号の説明】
１    第１の筐体
２    第２の筐体
３    ヒンジ部
４    第１の受話部
５    第２の受話部
６    送話部
７    表示部
８    第１のキー操作部
９    第２のキー操作部
１０    アンテナ
１１    第１の基板
１２    第２の基板
１３    音声処理部
１４    無線部
１５    電池
Ｊ    ヒンジ部３の基軸
【図１】
0003815985.tif 000002
【図２】
0003815985.tif 000003
【図３】
0003815985.tif 000004
【図４】
0003815985.tif 000005
【図５】
0003815985.tif 000006
【図６】
0003815985.tif 000007
【図７】
0003815985.tif 000008
【図８】
0003815985.tif 000009